(57)【特許請求の範囲】
【請求項１】
フレキシブルコンテナを載置したパレットを支持する棚受部を備えてフレキシブルコンテナを上下方向に収納するラックに対し、使用可能な荷姿修正装置であって、前記ラックの棚受部に載置される支持部と、該支持部に設けられて下の棚部のフレキシブルコンテナを吊り下げて巻上下するチェーンブロックとを備えたことを特徴とする荷姿修正装置。
【請求項２】
支持部のうちラックの棚受部に載置される枠体部をフレキシブルコンテナのパレットと略同じ大きさにした請求項１に記載の荷姿修正装置。
【発明の詳細な説明】
【０００１】
【発明の属する技術分野】
本発明は、変形したフレキシブルコンテナを正常の形に戻す荷姿修正装置に関するものである。
【０００２】
【従来の技術】
一般に、穀類や粉末状の粒物を収納する場合は、図４〜図６に示すごとく、把持用のベルト１を備えた布製の袋２であるフレキシブルコンテナ３を用いており、フレキシブルコンテナ３に穀類や粉末状の粒物を入れた後には、フレキシブルコンテナ３をフォークリフト４によりパレット５に載置し、パレット５ごとスタッカークレーン（図示せず）によりラック６に収納している。
【０００３】
ここで、ラック６はパレット５の周囲幅よりも柱間距離が長くなるように支柱７を立設し、隣接する支柱７の間に複数のパレット５が上下方向に並んで配置されるよう、パレット５の端部下面を支持する棚受部８を支柱７に取り付けてフレキシブルコンテナ３を保管し得る空間を形成している。
【０００４】
【発明が解決しようとする課題】
しかしながら、薬剤等の細粒物を入れたフレキシブルコンテナ３は、図６に示すごとくラック６内で前後左右方向に崩れて変形する場合があり、フレキシブルコンテナ３が変形した場合にはフレキシブルコンテナ３の重心が前後左右方向にずれるためスタッカークレーンのハンドリングができなくなるという問題があった。又、変形したフレキシブルコンテナ３を正常の形に戻すためには、作業者がフレキシブルコンテナ３を側面から押して形を整える必要があり、重労働を要するものであった。
【０００５】
本発明は、斯かる実情に鑑みてなしたもので、フレキシブルコンテナが変形した場合であっても容易に正常の形に戻すことを目的としている。
【０００６】
【課題を解決するための手段】
本発明の荷姿修正装置は、フレキシブルコンテナを載置したパレットを支持する棚受部を備えてフレキシブルコンテナを上下方向に収納するラックに対し、使用可能な荷姿修正装置であって、前記ラックの棚受部に載置される支持部と、該支持部に設けられて下の棚部のフレキシブルコンテナを吊り下げて巻上下するチェーンブロックとを備えたものである。
【０００７】
ラック内に収納したフレキシブルコンテナが変形した場合には、変形したフレキシブルコンテナの上に位置するラックの棚部を空にして荷姿修正装置をラックの棚受部に載置し、チェーンブロックのチェーンを延ばしてフックをフレキシブルコンテナに引掛け、チェーンブロックを操作してフレキシブルコンテナを持ち上げる。
【０００８】
持ち上げられたフレキシブルコンテナは自重により形が整うので、チェーンブロックを操作して再びフレキシブルコンテナをパレット上に戻せば、形の整ったフレキシブルコンテナがパレットを介し棚部に載置される。なお、フレキシブルコンテナの形を戻した後には、荷姿修正装置をラックから取り除く。
【０００９】
このように、フレキシブルコンテナが変形した場合に、荷姿修正装置を棚部に搬入し、チェーンブロックを操作しフレキシブルコンテナを巻上下することにより容易に正常の形にし得るので、フレキシブルコンテナの重心の前後左右方向のずれを容易に修正し、スタッカークレーンによりハンドリングできなくなることを防止し得る。又、チェーンブロックの操作によりフレキシブルコンテナを重心位置が中心部付近にある正常の形にし得るので、作業者がフレキシブルコンテナを側面から押して形を整える作業を不用にし、作業者の労働を軽減することができる。
【００１０】
支持部のうちラックの棚受部に載置される枠体部をフレキシブルコンテナのパレットと略同じ大きさにすると、スタッカークレーンによりパレットをラックに搬入出するのと同様に荷姿修正装置を搬入出し得られ、荷姿修正装置の配設が容易になるので、フレキシブルコンテナの整形作業を迅速に行なうことができる。
【００１１】
【発明の実施の形態】
以下、本発明の実施の形態を図示例と共に説明する。
【００１２】
図１〜図３は、本発明の荷姿修正装置の実施の形態の一例であり、図中、図４〜図６と同一の符号を付した部分は同一物を表している。
【００１３】
荷姿修正装置９は、ラック６に載置されるパレット５と略同じ大きさの四角形の枠体部１０と、枠体部１０の隅部より枠体部１０の内部方向の斜め上方に延在して四角錘を形成するフレームの支柱部１１とからなる支持部に、支柱部１１の頂点から吊り下げられるチェーンブロック１２を備えたものである。
【００１４】
チェーンブロック１２は、先端にフック１３を備えたチェーン１４を歯車機構１５に巻掛け、手鎖１６の操作によりチェーン１４を巻上げ、巻下げするものである。
【００１５】
以下、本発明の実施の形態例の作用を説明する。
【００１６】
ラック６にフレキシブルコンテナ３を収納する際には、スタッカークレーン（図示せず）により搬入出し、最上棚部（図示せず）より下の棚部にフレキシブルコンテナ３をパレット５を介して夫々収納する。なお、最上の棚段はパレット５を介してドラム缶等の他の物を載積するか、空の状態にする。
【００１７】
ラック６に積載したフレキシブルコンテナ３が変形した場合には、変形したフレキシブルコンテナ３が載っている棚部の上方に位置する棚部よりフレキシブルコンテナ３若しくは他の物をパレット５ごと他の棚部に移動し、空にした棚部に荷姿修正装置９を配設する。
【００１８】
即ち、空にした棚部には、変形したフレキシブルコンテナ３の略中央上方にチェーンブロック１２が位置するよう枠体部１０をラック６の棚受部に載置し、チェーンブロック１２のチェーン１４を延ばしてフレキシブルコンテナ３のベルト１にチェーン１４のフック１３を引掛ける。ここで、チェーンブロック１２のチェーン１４及び手鎖１６は、正常、荷姿修正装置９の四角錘の内部に収納されており、荷姿修正装置９を棚部に載置した後に、枠体部１０より下方に垂らすようになっている。
【００１９】
フレキシブルコンテナ３のベルトにチェーン１４のフック１３を引掛けた後に、手鎖１６を引くことによりチェーン１４を巻上げフレキシブルコンテナ３を持ち上げる。
【００２０】
フレキシブルコンテナ３は持ち上げられると自重により形が整うので、チェーン１４を巻上げた後、巻下げて再度フレキシブルコンテナ３をパレット５に載置する。ここで、チェーンブロック１２はパレット５中央にあるためフレキシブルコンテナ３を容易にパレット５中央に下ろすことができる。フレキシブルコンテナ３の形状を整えた後には、荷姿修正装置９をラック６から取り除き、始めに他の棚部に移動したフレキシブルコンテナ３若しくは他の物を元の位置に戻す。
【００２１】
このように、フレキシブルコンテナ３が変形した場合であっても、フレキシブルコンテナ３をパレット５上より持ち上げ、次にパレット５上に戻すことにより正常の形にし得るので、フレキシブルコンテナ３の重心の前後左右方向のずれを容易に修正し、スタッカークレーンによりハンドリングできなくなることを防止し得る。又、チェーンブロック１２の操作によりフレキシブルコンテナ３を重心位置が中心部付近にある正常の形にし得るので、作業者がフレキシブルコンテナ３を側面から押して形を整える作業を不用にし、作業者の労働を軽減することができる。
【００２２】
支持部のうちラック６の棚受部に載置される枠体部１０をフレキシブルコンテナ３のパレット５と略同じ大きさにすると、スタッカークレーンによりパレット５をラック６に搬入出するのと同様に荷姿修正装置９を搬入出し得られ、荷姿修正装置９の配設が容易になるので、フレキシブルコンテナ３の整形作業を迅速に行なうことができる。
【００２３】
なお、本発明の荷姿修正装置は、上述の形態例にのみ限定されるものではなく、支持部をフレームにより直方体等の形状にしてもよいこと、支持部にチェーンブロックを吊り下げる位置は、頂点でなく、中央部でもよいこと、チェーンブロックの巻上下を自動化してもよいこと、ラックは棚受部を備える代わりに棚受板に穴の空いたものでもよいこと、その他、本発明の要旨を逸脱しない範囲内において種々変更を加え得ることは勿論である。
【００２４】
【発明の効果】
本発明の荷姿修正装置によれば、下記の如き種々の優れた効果を奏し得る。
【００２５】
（Ｉ）フレキシブルコンテナが変形した場合に、荷姿修正装置を棚部に搬入し、チェーンブロックを操作しフレキシブルコンテナを巻上下することにより容易に正常の形にし得るので、フレキシブルコンテナの重心の前後左右方向のずれを容易に修正し、スタッカークレーンによりハンドリングできなくなることを防止し得る。又、チェーンブロックの操作によりフレキシブルコンテナを重心位置が中心部付近にある正常の形にし得るので、作業者がフレキシブルコンテナを側面から押して形を整える作業を不用にし、作業者の労働を軽減することができる。
【００２６】
（ＩＩ）支持部のうちラックの棚受部に載置される枠体部をフレキシブルコンテナのパレットと略同じ大きさにすると、スタッカークレーンによりパレットをラックに搬入出するのと同様に荷姿修正装置を搬入出し得られ、荷姿修正装置の配設が容易になるので、フレキシブルコンテナの整形作業を迅速に行なうことができる。
【図面の簡単な説明】
【図１】本発明の荷姿修正装置における実施の形態例を示す側面図である。
【図２】フレキシブルコンテナを載置するラックにおいて、変形したフレキシブルコンテナの上方のラックの棚部を空けた状態を示す概略図である。
【図３】フレキシブルコンテナを載置するラックにおいて、変形したフレキシブルコンテナの上方のラックの棚部に荷姿修正装置を載置した状態を示す概略図である。
【図４】フレキシブルコンテナの斜視図である。
【図５】フレキシブルコンテナをフォークリフトによりパレットに載置した状態を示す概略図である。
【図６】ラックにパレットを介してフレキシブルコンテナを収納し、一部のフレキシブルコンテナの形が変形した状態を示す概略図である。
【符号の説明】
３  フレキシブルコンテナ
５  パレット
６  ラック
８  棚受部
９  荷姿修正装置
１０  枠体部（支持部）
１１  支柱部（支持部）
１２  チェーンブロック
【図１】
0004288771.tif 000002
【図２】
0004288771.tif 000003
【図３】
0004288771.tif 000004
【図４】
0004288771.tif 000005
【図５】
0004288771.tif 000006
【図６】
0004288771.tif 000007